(57)【特許請求の範囲】
【請求項１】
電気機器収納用箱の取付面に形成された換気用開口から前記箱内に埋め込まれるように換気装置を取付けた換気装置の取付構造であって、
前記換気装置は、回転する羽根部を有する換気扇と、通風部が構成され、前記換気扇の吸気口もしくは排気口の一方を保護するファンカバーと、
通風部が構成され、前記換気扇の前記ファンカバーと対向する位置に、前記ファンカバーを取付可能な換気扇保護部材とを有し、
前記ファンカバーと前記換気扇保護部材との取り外しを可能にする操作部と、前記操作部の操作を抑制する操作抑制部とが形成されており、
前記換気装置が前記換気用開口に取り付けられている状態において、前記ファンカバーと前記換気扇保護部材の取り外しを行う前記操作部は前記換気用開口よりも外側にあり、前記操作抑制部である前記取付面によって隠されている構造とすることにより、
前記換気装置が前記換気用開口に取り付けられている状態では、前記ファンカバーは前記換気扇保護部材から取り外し不能に構成されている一方で、前記換気装置が換気用開口から取り外された状態では、前記ファンカバーは前記換気扇保護部材から取り外し可能に構成されていることを特徴とする換気装置の取付構造。
【請求項２】
前記枠部の裏面側に係止部が形成され、
前記側板部の先端部に前記係止部と係止する被係止部が形成され、
前記ファンカバーに形成した操作部が前記換気扇保護部材から離れる方向に押圧されると、前記係止部と前記被係止部との係止状態が解除されるように構成されていることを特徴とする請求項１に記載の換気装置の取付構造。
【発明の詳細な説明】
【技術分野】
【０００１】
本発明は、電気機器収納用箱に取り付けられる換気装置の取付構造の改良に関する。
【背景技術】
【０００２】
従来から、電気機器を収納する電気機器収納用箱がある。電気機器は発熱し、また、電気機器は熱に弱いため、電気機器収納用箱には箱内の熱気を換気するための換気装置が設けられているのが一般的である。このような換気装置は、特許文献１や特許文献２に示されるように、換気扇、換気扇を収納するケース、ケースの排気口側を保護するファンカバー、ケースの吸気側を保護するフィンガガードとから構成され、これらはネジ等で固定されている。
【先行技術文献】
【特許文献】
【０００３】
【特許文献１】特開２００９−２１２３３７号公報
【特許文献２】特開２００８−１９６７１４号公報
【発明の概要】
【発明が解決しようとする課題】
【０００４】
換気扇を交換する場合には、ファンカバーやフィンガガードを、キャビネットの外部又は内部から簡単に取り外すことができるので、回転する換気扇に指等が触れてしまう可能性があり、危険であるという問題があった。
例えば、特許文献１に記載の発明は、円筒形状のケースの両開口部にそれぞれファンカバー及びフィンガガードを螺着させた構造のものである。このため、換気扇が回転中であっても、容易にファンカバーやフィンガガードをケースから取り外すことができ、危険であるという問題があった。
本発明は、上記問題を解決し、安全に換気扇を交換することができる換気装置の取付構造を提供することを目的とする。
【課題を解決するための手段】
【０００５】
上記課題を解決するためになされた請求項１に記載の発明は、
電気機器収納用箱の取付面に形成された換気用開口から前記箱内に埋め込まれるように換気装置を取付けた換気装置の取付構造であって、
前記換気装置は、回転する羽根部を有する換気扇と、通風部が構成され、前記換気扇の吸気口もしくは排気口の一方を保護するファンカバーと、
通風部が構成され、前記換気扇の前記ファンカバーと対向する位置に、前記ファンカバーを取付可能な換気扇保護部材とを有し、
前記ファンカバーと前記換気扇保護部材との取り外しを可能にする操作部と、前記操作部の操作を抑制する操作抑制部とが形成されており、
前記換気装置が前記換気用開口に取り付けられている状態において、前記ファンカバーと前記換気扇保護部材の取り外しを行う前記操作部は前記換気用開口よりも外側にあり、前記操作抑制部である前記取付面によって隠されている構造とすることにより、
前記換気装置が前記換気用開口に取り付けられている状態では、前記ファンカバーは前記換気扇保護部材から取り外し不能に構成されている一方で、前記換気装置が換気用開口から取り外された状態では、前記ファンカバーは前記換気扇保護部材から取り外し可能に構成されていることを特徴とする。
【０００９】
請求項２に記載の発明は、請求項１に記載の発明において、
前記枠部の裏面側に係止部が形成され、
前記側板部の先端部に前記係止部と係止する被係止部が形成され、
前記ファンカバーに形成した操作部が前記換気扇保護部材から離れる方向に押圧されると、前記係止部と前記被係止部との係止状態が解除されるように構成されていることを特徴とする。
これにより、換気装置全体が換気用開口に取り付けられている状態では、前記係止部と前記被係止部との係止状態を解除することができず、ファンカバーを換気扇保護部材から取り外すことができない。また、換気装置全体を換気用開口から取り外せば、ファンカバーに形成した操作部を換気扇保護部材から離れる方向に押圧するだけで、ファンカバーを取り外すことができるので、作業性に優れる。
【発明の効果】
【００１０】
本発明によれば、換気装置が換気用開口に取り付けられている状態では、ファンカバーは換気扇保護部材から取り外し不能に構成されている一方で、換気装置が換気用開口から取り外された状態では、ファンカバーは前記換気扇保護部材から取り外し可能に構成されている。これにより、電機機器収納用箱に取り付けている状態では、換気扇の吸気口または排気口をファンカバー及び換気扇保護部材で保護されているので触ることが出来ず安全である。また、換気扇を取外しや交換を行う際には電気機器収納用箱から取り外した後に分離させたあとに換気扇に触れることが可能となるので換気扇が駆動していない状態で作業を行うことが可能である。
【図面の簡単な説明】
【００１１】
【図１】電気機器収納用箱の斜視図である。
【図２】第１の実施形態の換気装置の斜視図である。
【図３】第１の実施形態の換気装置の換気用開口への取付状態斜視図である。
【図４】第１の実施形態の換気装置の分解斜視図である。
【図５】（Ａ）図２のＡ−Ａ断面図である。（Ｂ）係合部の断面図である。
【図６】図２のＢ−Ｂ断面図である。
【図７】第１の実施形態の換気装置の要部断面図である。
【図８】第１の実施形態の換気装置の裏面図である。
【図９】第２の実施形態の換気装置の要部断面図である。
【図１０】参考形態の換気装置の要部断面図である。
【図１１】第３の実施形態の換気装置の下方からの斜視図である。
【図１２】第３の実施形態の異なる角度からの斜視図である。
【図１３】第３の実施形態のファンカバー及び換気扇保護部材の分解斜視図である。
【発明を実施するための形態】
【００１２】
（本発明の概要）
以下に図面を参照しつつ、本発明の好ましい実施の形態（第１の実施形態）を示す。図１において、９００は電気機器収納用箱であり、１００は第１の実施形態の換気装置である。なお、電気機器収納用箱９００には、開閉可能又は着脱可能に扉９００ｃが取り付けられ、この扉９００ｃを開けることにより、電気機器収納用箱９００の内部にアクセスすることができるようになっている。
【００１３】
図３の（Ａ）に示されるように、電気機器収納用箱９００の正面、側面、後面、又は、天井面のいずれかの取付面９００ａには換気用開口９００ｂが形成されている。換気装置１００は、換気用開口９００ｂから電気機器収納用箱９００内に埋め込まれた状態で、換気用開口９００ｂに取り付けられている。換気装置１００は、電気機器収納用箱９００の内部の空気を排気し、或いは、電気機器収納用箱９００の内部に空気を吸気することにより、電気機器収納用箱９００内を換気するものである。
【００１４】
換気装置１００は、図４に示されるように、ファンカバー１０、換気扇２０、換気扇保護部材３０とから構成されている。本実施形態では、ファンカバー１０及び換気扇保護部材３０は、合成樹脂で構成されている。換気扇２０は、ファンカバー１０もしくは換気扇保護部材３０内に取り付けられて保持されている。ファンカバー１０は、換気扇２０の吸気口もしくは排気口の一方を保護し、換気扇保護部材３０の開口部３０ｄに被着される。本発明では、後で詳述するように、換気装置１００を換気用開口９００ｂから取り外さなければ、ファンカバー１０を換気扇保護部材３０から取り外すことができない構造となっている。換気用開口９００ｂに換気装置１００を取り付けた状態では少なくとも換気扇２０の吸気口または排気口となる羽根部２０ｂの露出方向をファンカバー１０、換気扇保護部材３０において保護しているため、羽根部２０ｂに触れることが出来ない。更に、換気用開口９００ｂに取り付けた状態では換気扇保護部材３０もしくはファンカバー１０の取り外しが出来ないため、回転中の羽根部２０ｂに触れることが出来ないように形成されている。
【００１５】
図３に示されるように、ケース状に形成され、ファンカバー１０と対向する位置に形成された換気扇保護部材３０の側板部３０ｂの１つの面には、電源コード挿通口３０ｃが形成されている。換気装置１００を換気用開口９００ｂに取り付けた後電源コード８００のコネクタ８００ａを、電源コード挿通口３０ｃに挿通し、換気扇２０の接続端子２０ｄに接続している。この電源コード８００により、換気扇２０に駆動電流が供給される。コネクタ８００ａは、塩化ビニル樹脂等の樹脂で構成され、ブロック形状である。コネクタ８００ａが接続端子２０ｄに接続された状態では、コネクタ８００ａは電源コード挿通口３０ｃから外部に突出している。なお、本実施形態において電源コード８００の端部に形成されたコネクタ８００ａは２線の電源コードをまとめたブロック状のものとしたが、２線それぞれに圧着スリーブ端子などを形成し、接続端子２０ｄに取り付けを行うものであっても良い。その場合においても、圧着スリーブ端子が電源コード挿通口３０ｃから外部に突出することが望ましい。
【００１６】
図８に示されるように、換気用開口９００ｂを裏面視した場合に、接続端子２０ｄに接続しているコネクタ８００ａは、換気用開口９００ｂの縁部を横切っている。このため、コネクタ８００ａを接続端子２０ｄから取り外さなければ、コネクタ８００ａが取付板８００ｂに当たり換気用開口９００ｂを通過することができないので、換気装置１００を換気用開口９００ｂから取り外せない。これにより、電源コード８００を電源コード挿通口３０ｃから引き抜き、換気装置１００を換気用開口９００ｂから取り外した状態でしか、ファンカバー１０を換気扇保護部材３０から取り外すことができない。このため、ファンカバー１０を取り外した状態では、換気扇２０に電源コード８００が接続されていないので、安全に換気扇２０を交換することができる。
【００１７】
（ファンカバーの構造の説明）
図２や図４に示されるように、ファンカバー１０は、略板状であり、枠状の枠部１０ａと、この枠部１０ａの内側に形成された通風部１０ｂが一体に構成されている。枠部１０ａは、換気用開口９００ｂよりも大きく形成されている。図６に示されるように、枠部１０ａの対向する辺の裏側には、換気扇保護部材３０の開口部３０ｄと係止する係止凹部１０ｈが形成されている。この係止凹部１０ｈについては、後で詳細に説明する。通風部１０ｂには、多数の連通孔が形成されていて、通風可能となっている。図に示される実施形態では、通風部１０ｂは、ハニカム形状であるが、四角孔が多数連通形成された形状等であっても差し支え無い。或いは、通風部１０ｂを枝葉形状として、換気装置１００の内部を見えにくくなるようにしても差し支え無い。
【００１８】
図２や図４に示されるように、対向する一対の枠部１０ａには、係合部１０ｃが形成されている。係合部１０ｃは、図５の（Ｂ）に示されるように、断面形状が略Ｕ字形状であり、枠部１０ａと接続する固定片１０ｄと、固定片１０ｄと対向し固定片１０ｄの下端に接続する可動片１０ｅとから構成されている。可動片１０ｅは、固定片１０ｄ側に弾性的に変形可能となっている。可動片１０ｅの外側の上下方向中間部分には、係合突起１０ｆが形成されている。可動片１０ｅの上端である自由端には、操作部１０ｇが形成されている。
【００１９】
換気装置１００を換気用開口９００ｂに挿入させると、図５の（Ｂ）に示されるように、係合突起１０ｆが換気用開口９００ｂの内側に乗り越えて進入し、係合突起１０ｆが換気用開口９００ｂに係合し、換気装置１００が換気用開口９００ｂに固着される。図５の（Ａ）に示されるように、換気装置１００が換気用開口９００ｂに固着されている状態では、ファンカバー１０は、換気用開口９００ｂの外側の取付面上９００ａに配置されている。具体的には、ファンカバー１０の通風部１０ｂは、換気用開口９００ｂを覆い、ファンカバー１０の枠部１０ａは、換気用開口９００ｂの周縁の取付面９００ａ上に配設されている。
【００２０】
操作部１０ｇが押圧されると、係合突起１０ｆと換気用開口９００ｂとの係合状態が解除され、換気装置１００を換気用開口９００ｂから取り外すことができる。
図２や図４に示される実施形態では、枠部１０ａの一方の辺の中央に１つの係合部１０ｃが形成され、枠部１０ａの他方の辺の前記係合部１０ｃと対向しない位置に２つの係合部１０ｃが形成されている。これは、敢えて、換気装置１００を換気用開口９００ｂから取り外しにくい構造とし、不用意に換気装置１００が換気用開口９００ｂから外れてしまうことを防止するためである。
【００２１】
（換気扇の説明）
図４〜図６に示されるように、本実施形態では、換気扇２０は、扁平円筒体の両端に取付用のフランジ部が形成された筐体２０ａと、この筐体２０ａの内部に回転可能に軸着された羽根部２０ｂと、羽根部２０ｂに回転力を付与するモータ２０ｃとから構成されている。筐体２０ａの外側には、モータ２０ｃと電気的に接続している接続端子２０ｄが設けられている。接続端子２０ｄは、換気扇２０の外側に向けて突出している。このため、接続端子２０ｄに接続されるブロック状のコネクタ８００ａが換気扇２０の外側に向かって突出する。
【００２２】
（換気扇保護部材の説明）
換気扇保護部材３０は、換気扇２０を電気機器収納用箱９００内に埋め込んだ状態で保護または保持し、換気扇２０の吸気口または排気口に形成されたファンカバー１０と取付可能に形成されるものである。つまり、換気扇保護部材３０はファンカバー１０と対向する位置に取り付けるものである。本実施形態では、換気扇保護部材３０は、図４に示されるように、板状の通風部３０ａと、通風部３０ａの少なくとも対向する一対の外縁辺から上方に（通風部３０ａの形成方向と略直交する方向に）延出された側板部３０ｂとから構成されたケース形状である。本実施形態では側板部３０ｂは、通風部３０ａの全ての外縁辺から上方に延出形成されている。通風部３０ａには、孔状又はスリット状の通気孔が多数連通形成され、指など侵入できないように形成している。換気扇保護部材３０の内部に換気扇２０が収納され、換気扇２０の筐体２０ａの下側開口部に対向する位置に、通風部３０ａが位置しているので、作業者が電気機器収納用箱９００の内部にアクセスした際に、回転する羽根部２０ｂへの指等の接触が防止される。側板部３０ｂの少なくとも何れか一つの面には、電源コード挿通口３０ｃが形成されている。
【００２３】
（ファンカバーと換気扇保護部材との取付構造の説明）
図６及び図７を用いて、ファンカバー１０と換気扇保護部材３０との取付構造について説明する。図６や図７に示されるように、対向する一対の枠部１０ａの外縁からは、係止片１０ｉが垂下形成されている。係止片１０ｉは、外側に弾性的に変形可能となっている。図７に示されるように、係止片１０ｉの下端には、内側に突出した係止突起１０ｊが形成されている。係止突起１０ｊの上部には、内側に向かって徐々に低くなるように傾斜した傾斜面１０ｋが形成されている。枠部１０ａ及び係止片１０ｉにより囲まれる空間により、係止凹部１０ｈが形成されている。
【００２４】
図４及び図６に示されるように、対向する一対の側板部３０ｂの上端部、つまり、換気扇保護部材３０の開口部３０ｄの対向する辺には、ファンカバー１０の係止凹部１０ｈと係止する、被係止部３０ｅが形成されている。被係止部３０ｅは、図７に示されるように、当接片３０ｆ、傾斜片３０ｇ、被係止片３０ｈとから構成されている。当接片３０ｆは、側板部３０ｂの上端付近外側から、外側に水平方向に（側板部３０ｂの形成方向と略直交する方向に）延出形成されている。傾斜片３０ｇは、当接片３０ｆの先端から、外側斜め上方に延出形成されている。傾斜片３０ｇの外面は、傾斜面１０ｋと同一傾斜角度である。被係止片３０ｈは、傾斜片３０ｇの先端から、上方に延出形成されている。
【００２５】
図７の（Ａ）に示されるように、被係止片３０ｈが係止凹部１０ｈ内に進入して、被係止部３０ｅが係止凹部１０ｈに係止している。この状態では、傾斜片３０ｇの外面と傾斜面１０ｋとは密着している。係止突起１０ｊの傾斜面１０ｋは傾斜片３０ｇの外面に密接しているので、ファンカバー１０の上方への移動が規制され、ファンカバー１０が、換気扇保護部材３０から脱落しないようになっている。なお、係止突起１０ｊの下端面と、当接片３０ｆの下面とは、同一平面上にある。換気装置１００が換気用開口９００ｂに取り付けられている状態では、図７の（Ａ）に示されるように、当接片３０ｆが換気用開口９００ｂの周縁の取付面９００ａに当接し、すなわち、ファンカバー１０と換気扇保護部材３０の取付部となる係止凹部１０ｈ及び被係止部３０ｅがファンカバー1０と取付面９００ａの間に形成され、係止凹部１０ｈ及び被係止部３０ｅの係止を外す後述の操作部が取付面９００ａに隠されているためにファンカバー１０と換気扇保護部材３０を取り外すことができず、更に係合部１０ｃが電気機器収納用箱９００に係合されており、換気扇保護部材３０の電気機器収納用箱９００内部への脱落が防止される。
【００２６】
次に、ファンカバー１０を換気扇保護部材３０から取り外す手順について説明する。換気装置１００を換気用開口９００ｂから取り外し、係止突起１０ｊの操作部となる押圧部１０ｓを上方（ファンカバー１０が換気扇保護部材３０から離れる方向）に押圧する。すると、図７の（Ｂ）に示されるように、傾斜面１０ｋと傾斜片３０ｇの外面が滑動して、係止片１０ｉが外側に変形しながらファンカバー１０が換気扇保護部材３０から離れ、係止突起１０ｊが、傾斜片３０ｇを乗り越えると（図７の（Ｃ）の状態）、係止凹部１０ｈと被係止部３０ｅの係止状態が解除され、ファンカバー１０が換気扇保護部材３０から取り外される。本実施形態においては、係止突起１０ｊの取付面９００ａと水平で上方に押圧する押圧部１０ｓがファンカバー１０と換気扇保護部材３０の取り外しを行う操作部となるものである。また、係止辺１０ｉの外側面に取付面９００ａに沿うように形成された突起部を形成して操作部を形成するものであって良く、この実施例においても取付面９００ａに換気装置１００が取り付けられている場合に操作部を操作できないように形成することが望ましい。
【００２７】
換気装置１００が換気用開口９００ｂに取り付けられている状態では、ファンカバー１０と換気扇保護部材３０の取付部である係止凹部１０ｈと被係止部３０ｅは、枠部１０ａの裏面と換気用開口９００ｂの周縁の取付面９００ａとの間に位置していて、係止凹部１０ｈと被係止部３０ｅにアクセスすることができない。つまり、換気用開口９００ｂの周縁の取付面９００ａが操作部となる押圧部１０ｓの操作を抑制する操作抑制部、また、ファンカバー１０と換気用開口９００ｂの間に押圧部１０ｓが隠されるようになり、操作も不能となるものである。このため、換気装置１００を換気用開口９００ｂから取り外さなければ、係止凹部１０ｈと被係止部３０ｅの係止状態を解除することができず、ファンカバー１０を換気扇保護部材３０から取り外すことができない。また、前述したように、換気装置１００を換気用開口９００ｂから取り外すには、電源コード８００は換気用開口９００ｂより突出させて形成しているので、電源コード８００を取り付けた状態では換気装置１００を電気機器収納用箱９００から取り出すことが出来ない。このため、電源コード８００を換気扇２０の接続端子２０ｄから引き抜く必要があり、換気装置１００を電気機器収納用箱９００から取り外した状態では、羽根部２０ｂが回転していないので、ファンカバー１０を換気扇保護部材３０から取り外しても安全である。
【００２８】
（第２の実施形態）
図９を用いて、第２の実施形態の換気装置２００について、第１の実施形態の換気装置１００と異なる点について説明する。第２の実施形態は、ネジ４０で、ファンカバー１０を換気扇保護部材３０に取り付けた構造である。具体的には、当接片３０ｆに下孔３０ｉが形成され、これに対応する位置の枠部１０ａの裏側にネジ孔１０ｍが形成される。ファンカバー１０と換気扇保護部材３０の分離を行う操作部であるネジ４０が下孔３０ｉを挿通した状態でネジ孔１０ｍに螺着している。なお、ネジ４０は皿ネジであり、下孔３０ｉは皿ネジのネジ頭に対応した形状となっているので、ネジ４０のネジ頭が当接片３０ｆの下面から突出しない。換気装置２００が換気用開口９００ｂ取り付けられている状態では、ファンカバー１０と換気扇保護部材３０の取付部である下孔３０ｉ、ネジ孔１０ｍ、及び、ネジ４０は、枠部１０ａの裏面と換気用開口９００ｂの周縁の取付面９００ａとの間に位置し、操作部となるネジ４０の頭部が操作抑制部となる取付面９００ａで遮蔽されているので、換気装置２００を換気用開口９００ｂから取り外さなければ、ファンカバー１０を取り外すことができない。
【００２９】
（参考形態）
図１０を用いて、本発明の参考形態の換気装置３００について、第１の実施形態の換気装置１００と異なる点について説明する。この参考形態では、換気扇保護部材３０の側板部３０ｂの内側に形成された係止部凹部３０ｊに、ファンカバー１０の枠部１０ａから垂下形成された係止脚部１０ｎが係止し、ファンカバー１０が換気扇支持部材３０に取り付けられる。具体的には、係止脚部１０ｎの先端には、外側に係止部となる係止突起１０ｐが形成されていて、係止突起１０ｐが係止凹部３０ｊに係止する。ファンカバー１０が換気扇支持部材３０に取り付けられている状態では、係止脚部１０ｎは側板部３０ｂと換気扇２０の間に挟まれているので、係止突起１０ｐが外側から押されても、係止突起１０ｐの移動が換気扇２０により阻止され、係止突起１０ｐと係止凹部３０ｊの係止状態を解除することができない。また、換気用開口９００ｂに取り付けられた状態では、取付面９００ａにより側板部３０ｂが換気扇２０と反対方向に広がることを抑制するため、係止状態を解除することができない。このため、換気装置３００が換気用開口９００ｂに取り付けられた状態では、ファンカバー１０を換気扇保護部材３０から取り外すことができない。なお、ファンカバー１０を換気扇保護部材３０から取り外すには、換気装置３００を電気機器収納用箱９００から取り外し、側板部３０を外側に拡げて、係止突起１０ｐと係止凹部３０ｊの係止状態を解除することにより行われる。第１及び第２実施施例の取付面９００ａはねじ、押圧部などの操作部の操作を抑制させる操作抑制部であるが、本参考形態の取付面９００ａは側板部３０ｂの動作を抑制する動作抑制部となる。動作抑制部となる取付面９００aが側板部３０ｂを押圧する状態となるために係止突起１０ｐが側板部３０ｂの係止凹部３０ｊより係止を外せないものである。
【００３０】
（第３の実施形態）
図１１から図１３に第３の実施形態の換気装置４００について示す。第３の実施形態の換気装置４００について、第１の実施形態の換気装置１００と異なる点について説明する。図１１及び図１２において、枠部１０ａに、係合部１０ｃが一つの辺のみに形成されている。第１の実施形態と比較して幅広に形成した係合部１０ｃとなっている。係合部１０ｃを幅広に形成することにより、電気機器収納用箱９００に換気装置４００を安定して保持できるため、係合部１０ｃを設けた枠部１０ａと対向する位置に形成した枠部１０ａにも係合部１０ｃを設けることなく保持できるものである。また、換気扇保護部材３０の通風部３０ａと側板部３０ｂとを傾斜をもたせた連結部３０ｋが形成されており、連結部３０ｋには通風のための開口が形成されている。これにより、通風経路が側部にも設けられると共に換気扇２０と通風部３０ａの距離が連結部３０ｋ分離すことができるため、換気扇２０と換気扇保護部材３０の干渉がなくなるため、干渉時に生じる騒音を低減させることができるものである。
【００３１】
また、図１１から図１３において、ファンカバー１０と換気扇保護部材３０の係止構造は、第１の実施形態の図７に示すようなファンカバー１０の係止凹部１０ｈに換気扇保護部材３０の被係止部３０ｅに係止される構造は同様であるが、枠部１０ａの係合部１０ｃが形成された辺及び対向する枠部１０ａの一部のみに係止凹部１０ｈを形成し、換気扇保護部材３０には係止凹部１０ｈに対応する位置に被係止部３０ｅを設けたものである。本実施形態においては枠部１０ａの1辺に係止凹部１０ｈを２箇所、係止凹部１０ｈに対応する位置に被係止部３０ｅを形成している。ファンカバー１０及び換気扇保護部材３０の係止箇所を全体に形成すると取付が強固になるものであるが、一部に形成することにより取外を容易にするものである。また、係止箇所の数は第３の実施形態の構造に限るものではない。この実施形態においても、換気用開口９００ｂに換気装置４００を取り付けた状態では換気扇２０の羽根部２０ｂにはファンカバー１０及び換気扇保護部材３０により触れることが出来ず、更に、換気用開口９００ｂに取り付けた状態では被係止部３０ｅが取付面９００ａとファンカバー１０の間に形成され、ファンカバー１０と換気扇保護部材３０の分離を行う押圧部１０ｓが操作抑制部となる換気用開口９００ｂにより抑制されているために操作が出来ず取り外すことが出来ないため、電機機器収納用箱９００から取外す必要がある。
【００３２】
換気扇保護部材３０の当接片３０fを形成した辺の電気機器収納用箱９００側となる面には補強部３０ｍ，３０ｎが形成してある。電気機器収納用箱９００に取付する際に補強部３０ｍ、３０ｎは傾斜を持たせて形成しているので換気用開口９００ｂに案内させるものである。また、換気装置４００は換気用開口９００ｂには係合部１０ｃを１つのみで保持されるため、取り付けた後に水平方向にずれる可能性があるが、換気装置４００を取り付けた後、補強部３０ｍ、３０ｎが電気機器収納用箱９００の換気用開口９００ｂの端面に当接するように形成しているため、水平方向への移動を抑制させることが可能となるものである。
【００３３】
その他に、換気扇保護部材３０には電源コード挿通口３０ｃを形成しているが、ノックアウト部３０ｐのような形態にしておけば使用したい電源コード挿通口３０ｃのみを切り離して使用することが可能である。
【００３４】
ファンカバー１０において、換気扇保護部材３０側の面の対角線に換気扇固定部１０ｑ及び係合突起１０ｒを形成している。本実施形態においては、係合突起１０ｒにより換気扇２０を軸方向への移動を抑制し、換気扇固定部１０ｑの突起により換気扇２０の水平方向への移動を抑制させるものであり、ねじなどの取付部材を形成せずに保持が可能となるものである。勿論、換気扇固定部１０ｑをねじ孔とし、ファンカバー１０に換気扇２０を固定させる構造であっても良いものでその場合にはねじ止めにより水平及び軸方向への移動を抑制するものである。この場合、換気扇２０はファンカバー１０に固定され、電源コード挿通口３０ｃが換気扇保護部材３０に形成しているため、電源コードを差込された状態で分離させようとしても電源コード挿通口３０ｃの周縁部に電源コードが当接するために分離させることができないものである。
【００３５】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う換気装置もまた技術的範囲に包含されるものとして理解されなければならない。     
【符号の説明】
【００３６】
１０      ファンカバー
１０ａ    枠部
１０ｂ    通風部
１０ｃ    係合部
１０ｄ    固定片
１０ｅ    可動片
１０ｆ    係合突起
１０ｇ    操作部
１０ｈ    係止凹部
１０ｉ    係止片
１０ｊ    係止突起
１０ｋ    傾斜面
１０ｍ    ネジ孔
１０ｎ    係止脚
１０ｐ    係止突起
１０ｑ    換気扇固定部
１０ｒ    係合突起
１０ｓ    押圧部
２０      換気扇
２０ａ    筐体
２０ｂ    羽根部
２０ｃ    モータ
２０ｄ    接続端子
３０      換気扇保護部材
３０ａ    通風部
３０ｂ    側板部
３０ｃ    電源コード挿通口
３０ｄ    開口部
３０ｅ    被係止部
３０ｆ    当接片
３０ｇ    傾斜片
３０ｈ    被係止片
３０ｉ    下孔
３０ｊ    係止凹部
３０ｋ    連結部
３０ｍ    補強部
３０n     補強部
３０p     ノックアウト部
４０      ネジ
５０      換気扇保護部材
５０ａ    下孔
５０ｂ    通風孔
１００    第１の実施形態の換気装置
２００    第２の実施形態の換気装置
３００    参考形態の換気装置
４００    第３の実施形態の換気装置
８００    電源コード
８００ａ  コネクタ
９００    電気機器収納用箱
９００ａ  取付面
９００ｂ  換気用開口
９００ｃ  扉
【図１】
0005779775.tif 000002
【図２】
0005779775.tif 000003
【図３】
0005779775.tif 000004
【図４】
0005779775.tif 000005
【図５】
0005779775.tif 000006
【図６】
0005779775.tif 000007
【図７】
0005779775.tif 000008
【図８】
0005779775.tif 000009
【図９】
0005779775.tif 000010
【図１０】
0005779775.tif 000011
【図１１】
0005779775.tif 000012
【図１２】
0005779775.tif 000013
【図１３】
0005779775.tif 000014